(57)【要約】【課題】配信されたストリーミングデータの未再生の部分において、ユーザが視聴したい場面を選択して再生するデータ再生装置及びデータ再生方法を提供する。【解決手段】ＰＣ４の解析部３２０Ｂは、視聴可能性の高い映像区間３１７ｄとしての優先的バッファ区間３１７ｆを検出したとき、図９（ａ）に示す、スキップボタン３１２ｃと、再生位置ｅの時間情報であるスキップ時間情報３１２ｄとを表示する。制御部３２は、スキップボタン３１２ｃが押されたとき、スキップ時間情報３１２ｄの再生位置ｅ〜ｆを優先的に映像配信サーバ２に配信させるためのバッファ情報を作成し、通信部３０からインターネット３を介して、映像配信サーバ２に送信する。制御部３２は、通信部３０からインターネット３を介して受信した優先的バッファ区間３１７ｆに対応したストリーミング映像を映像再生プレイヤ３１１に再生させる。【選択図】図１３
2008135825.tif 000002
【特許請求の範囲】
【請求項１】
データを送受信する送受信部と、
前記データを記録する記録部と、
前記データを再生する再生部と、
再生された前記データを表示する表示部と、
前記記録部の前記データを解析し、解析情報を作成する解析部と、
前記送受信部に前記データを受信させながら前記再生部に前記解析情報に基づいて前記記録部の前記データを所定の区間から再生させる制御部とを有することを特徴とするデータ再生装置。
【請求項２】
前記解析部は、登録されたキーワードに基づいて、前記解析情報を作成することを特徴とする請求項１に記載のデータ再生装置。
【請求項３】
前記制御部は、前記所定の区間の始まりの時間位置を前記表示部に表示させることを特徴とする請求項１に記載のデータ再生装置。
【請求項４】
前記制御部は、前記所定の区間の終わりの時間位置を前記表示部に表示させることを特徴とする請求項１に記載のデータ再生装置。
【請求項５】
前記制御部は、前記データが過去に再生されたデータであるとき、過去に作成された前記解析情報に基づいて、前記再生部に前記所定の区間から再生させることを特徴とする請求項１に記載のデータ再生装置。
【請求項６】
前記制御部は、過去に作成された前記解析情報に基づいて、前記所定の区間がまだ受信されていないとき、前記所定の区間を先に受信できるように指示する指示情報を前記送受信部から送信することを特徴とする請求項１に記載のデータ再生装置。
【請求項７】
前記解析部は、過去に作成された前記解析情報に基づいて、前記データを表示内容の異なる複数のシーンに分割するシーン情報を作成することを特徴とする請求項１に記載のデータ再生装置。
【請求項８】
前記制御部は、分割された前記複数のシーンから少なくとも１つのシーンが選択されたとき、選択された前記少なくとも１つのシーンを前記再生部に再生させることを特徴とする請求項７に記載のデータ再生装置。
【請求項９】
前記解析部は、前記複数のシーンの内容を示すテキスト情報を作成し、
前記制御部は、前記テキスト情報を前記表示部に表示させることを特徴とする請求項７に記載のデータ再生装置。
【請求項１０】
前記制御部は、前記複数のシーンから前記少なくとも１つのシーンを選択するメニュを前記表示部に表示させることを特徴とする請求項８に記載のデータ再生装置。
【請求項１１】
データを送受信する送受信部と、
前記データを記録する記録部と、
前記データを再生する再生部と、
再生された前記データを表示する表示部と、
前記記録部の前記データを解析し、解析情報を作成する解析部と、
前記解析情報から所定の表示内容を有するシーンを検索する検索要求を入力する入力部と、
前記検索要求に基づいて前記解析情報を検索し、検索情報を作成する検索部と、
前記検索情報を前記表示部に表示させる制御部とを有することを特徴とするデータ再生装置。
【請求項１２】
前記制御部は、前記表示部に表示された前記検索情報が選択されたとき、前記再生部に選択された前記検索情報に基づいた所定の区間から再生させることを特徴とする請求項１１に記載のデータ再生装置。
【請求項１３】
データを送受信する送受信ステップと、
前記データを記録部に記録する記録ステップと、
前記データを再生する再生ステップと、
再生された前記データを表示する表示ステップと、
前記記録部の前記データを解析し、解析情報を作成する解析ステップと、
前記送受信ステップに前記データを受信させながら前記再生ステップに前記解析情報に基づいて前記記録部の前記データを所定の区間から再生させる制御ステップとを有することを特徴とするデータ再生方法。
【請求項１４】
前記解析ステップは、登録されたキーワードに基づいて、前記解析情報を作成することを特徴とする請求項１３に記載のデータ再生方法。
【請求項１５】
前記制御ステップは、前記データが過去に再生されたデータであるとき、過去に作成された前記解析情報に基づいて、前記再生ステップに前記所定の区間から再生させることを特徴とする請求項１３に記載のデータ再生方法。
【請求項１６】
前記制御ステップは、過去に作成された前記解析情報に基づいて、前記所定の区間がまだ受信されていないとき、前記所定の区間を先に受信できるように指示する指示情報を前記送受信ステップから送信することを特徴とする請求項１３に記載のデータ再生方法。
【請求項１７】
前記解析ステップは、過去に作成された前記解析情報に基づいて、前記データを表示内容の異なる複数のシーンに分割するシーン情報を作成することを特徴とする請求項１３に記載のデータ再生方法。
【請求項１８】
前記制御ステップは、分割された前記複数のシーンから少なくとも１つのシーンが選択されたとき、選択された前記少なくとも１つのシーンを前記再生ステップに再生させることを特徴とする請求項１７に記載のデータ再生方法。
【請求項１９】
データを送受信する送受信ステップと、
前記データを記録部に記録する記録ステップと、
前記データを再生する再生ステップと、
再生された前記データを表示する表示ステップと、
前記記録部の前記データを解析し、解析情報を作成する解析ステップと、
前記解析情報から所定の表示内容を有するシーンを検索する検索要求を入力する入力ステップと、
前記検索要求に基づいて前記解析情報を検索し、検索情報を作成する検索ステップと、
前記検索情報を前記表示ステップに表示させる制御ステップとを有することを特徴とするデータ再生方法。
【請求項２０】
前記制御ステップは、前記表示ステップに表示された前記検索情報が選択されたとき、前記再生ステップに選択された前記検索情報に基づいた所定の区間から再生させることを特徴とする請求項１９に記載のデータ再生方法。
【発明の詳細な説明】
【技術分野】
【０００１】
本発明は、データ再生装置及びデータ再生方法に関し、特に配信されたストリーミングデータの未再生の部分において、ユーザが視聴したい場面を選択して再生するデータ再生装置及びデータ再生方法に関する。
【背景技術】
【０００２】
従来の技術として、配信されたコンテンツを再生する際に、ユーザの属性情報に基づいて、再生を制御できるコンテンツ再生制御装置が提案されている（例えば、特許文献１参照）。
【０００３】
このコンテンツ再生制御装置によると、制御データ送信サーバは、そこに予め登録されたユーザの属性情報、例えば、年齢や性別、趣味、特定の会員組織に対する登録の有無等に基づいて、例えば、コンテンツ配信サーバから配信されたコンテンツの全編を視聴可能としたり、特定の広告をコンテンツの途中に挿入したり、所定の区間を除いたりできるアクティブメタデータを作成し、コンテンツ再生制御装置は、送信されたアクティブメタデータに基づいて、コンテンツを再生する。
【特許文献１】特開２００４−７０６３号公報
【発明の開示】
【発明が解決しようとする課題】
【０００４】
しかし、従来のコンテンツ再生制御装置によると、再生を制御するアクティブメタデータは、ユーザの属性情報に基づいて作成されるので、ユーザが視聴したい場面を選択して再生することができない。
【０００５】
従って、本発明の目的は、配信されたストリーミングデータの未再生の部分において、ユーザが視聴したい場面を選択して再生するデータ再生装置及びデータ再生方法を提供することにある。
【課題を解決するための手段】
【０００６】
（１）本発明は上記目的を達成するため、データを送受信する送受信部と、前記データを記録する記録部と、前記データを再生する再生部と、再生された前記データを表示する表示部と、前記記録部の前記データを解析し、解析情報を作成する解析部と、前記送受信部に前記データを受信させながら前記再生部に前記解析情報に基づいて前記記録部の前記データを所定の区間から再生させる制御部とを有することを特徴とするデータ再生装置を提供する。
【０００７】
このような構成によれば、配信されたストリーミングデータの未再生の部分において、ユーザが視聴したい場面を選択して再生できる。
【０００８】
（２）本発明は上記目的を達成するため、データを送受信する送受信部と、前記データを記録する記録部と、前記データを再生する再生部と、再生された前記データを表示する表示部と、前記記録部の前記データを解析し、解析情報を作成する解析部と、前記解析情報から所定の表示内容を有するシーンを検索する検索要求を入力する入力部と、前記検索要求に基づいて前記解析情報を検索し、検索情報を作成する検索部と、前記検索情報を前記表示部に表示させる制御部とを有することを特徴とするデータ再生装置を提供する。
【０００９】
このような構成によれば、視聴したい場面をキーワードに基づいて検索し、視聴したい場面を再生できる。
【００１０】
（３）本発明は上記目的を達成するため、データを送受信する送受信ステップと、前記データを記録部に記録する記録ステップと、前記データを再生する再生ステップと、再生された前記データを表示する表示ステップと、前記記録部の前記データを解析し、解析情報を作成する解析ステップと、前記送受信ステップに前記データを受信させながら前記再生ステップに前記解析情報に基づいて前記記録部の前記データを所定の区間から再生させる制御ステップとを有することを特徴とするデータ再生方法を提供する。
【００１１】
このような構成によれば、配信されたストリーミングデータの未再生の部分において、ユーザが視聴したい場面を選択して再生できる。
【００１２】
（４）本発明は上記目的を達成するため、データを送受信する送受信ステップと、前記データを記録部に記録する記録ステップと、前記データを再生する再生ステップと、再生された前記データを表示する表示ステップと、前記記録部の前記データを解析し、解析情報を作成する解析ステップと、前記解析情報から所定の表示内容を有するシーンを検索する検索要求を入力する入力ステップと、前記検索要求に基づいて前記解析情報を検索し、検索情報を作成する検索ステップと、前記検索情報を前記表示ステップに表示させる制御ステップとを有することを特徴とするデータ再生方法を提供する。
【００１３】
このような構成によれば、視聴したい場面をキーワードに基づいて検索し、再生できる。
【発明の効果】
【００１４】
本発明によれば、配信されたストリーミングデータの未再生の部分において、ユーザが視聴したい場面を選択して再生することができる。
【発明を実施するための最良の形態】
【００１５】
［第１の実施の形態］
（映像配信システムの構成）
図１は、本発明の第１の実施の形態に係る映像配信システムの概略図である。一例として、インターネットで配信されるストリーミング映像を、自宅のＰＣ（Ｐｅｒｓｏｎａｌ  Ｃｏｍｐｕｔｅｒ）で視聴する場合を表している。
【００１６】
映像配信システム１は、ストリーミング映像を配信する映像配信サーバ２と、ネットワークの集合体であるインターネット３と、インターネット３を介して、映像配信サーバ２から供給されるストリーミング映像を受信するＰＣ４と、ＰＣ４に接続され、ストリーミング映像を表示する表示部としてのモニタ５とで構成される。
【００１７】
（映像配信サーバの構成）
図２は、本発明の第１の実施の形態に係る映像配信サーバのブロック図である。映像配信サーバ２は、インターネット３と接続する通信部２０と、各部を統括的に制御する制御部２１と、各種データを蓄積する蓄積部２２とを有する。
【００１８】
蓄積部２２は、制御部２１によって実行されるソフトウェア２００と、スポーツ番組や娯楽番組等のインターネット３を通じて配信するコンテンツのデータである映像データ２０１とを蓄積している。
【００１９】
（ＰＣの構成）
図３は、本発明の第１の実施の形態に係るＰＣのブロック図である。ＰＣ４は、インターネット３と接続する通信部３０と、各種操作が可能な入力部３１と、各部を統括的に制御する制御部３２と、各種データを記憶する記憶部３３と、通信部３０を介して、インターネット３から配信されるストリーミング映像を一時的に格納する１次記憶部３４と、モニタ５にストリーミング映像を表示させる表示部３５とを有する。
【００２０】
記憶部３３は、制御部３２によって実行されるソフトウェア３００と、ストリーミング映像からユーザが所望する場面を検出するとき、検出の手がかりとなるキーワード３０１と、ストリーミング映像を解析部３２０Ｂが解析した解析情報としてのメタデータ３０２とを記憶している。
【００２１】
（映像配信サーバのソフトウェアの構成）
図４は、本発明の第１の実施の形態に係る映像配信サーバの蓄積部に記憶されたソフトウェアのブロック図である。
【００２２】
制御部２１によって実行されるソフトウェア２００は、アプリケーションとしてのストリーミング映像作成部２１０Ａと、オペレーティングシステム２２０と、ドライバ群２３００とを有し、各ドライバに対応したハードウェアとしてのデバイス群２４００が接続されている。
【００２３】
ストリーミング映像作成部２１０Ａは、蓄積部２２に蓄積される映像データ２０１を取り込んで、インターネット３を通じて配信可能なストリーミング映像を作成する。
【００２４】
オペレーティングシステム２２０は、ストリーミング映像作成部２１０Ａと、ドライバ群２３００を統括的に管理する。
【００２５】
ドライバ群２３００は、通信部２０を管理する通信ドライバ２３０と、蓄積部２２を管理するメディアドライバ２３１とを有する。
【００２６】
（ＰＣのソフトウェアの構成）
図５は、本発明の第１の実施の形態に係るＰＣの記憶部に記憶されたソフトウェアのブロック図である。
【００２７】
制御部３２によって実行されるソフトウェア３００は、アプリケーション群３１００と、オペレーティングシステム３２０と、ドライバ群３３００とを有し、各ドライバに対応したハードウェアとしてのデバイス群３４００が接続されている。
【００２８】
アプリケーション群３１００は、１次記憶部３４に格納されたストリーミング映像を再生する映像再生部３１０Ａと、１次記憶部３４に格納されたストリーミング映像を解析する解析部３２０Ｂと、ストリーミング映像と解析部３２０Ｂが解析した解析情報とを対応させたメタデータ３０２を作成するメタデータ作成部３３０Ｃとを有する。
【００２９】
映像再生部３１０Ａは、ストリーミング映像を表示画面５０に表示させるソフトウェアとしての映像再生プレイヤ３１１を有する。ストリーミング映像は、映像再生プレイヤ３１１が実行されるよって表示画面５０に表示され、映像再生プレイヤ３１１を操作することによって、ストリーミング映像の再生等の操作が可能になる。
【００３０】
オペレーティングシステム３２０は、アプリケーション群３１００と、ドライバ群３３００を統括的に管理する。
【００３１】
ドライバ群３３００は、通信部３０を管理する通信ドライバ３３０と、入力部３１を管理する入力ドライバ３３１と、記憶部３３と１次記憶部３４とを管理するメディアドライバ３３２と、表示部３５を管理する表示ドライバ３３３とを有する。
【００３２】
図６（ａ）は、本発明の第１の実施の形態に係る表示画面に表示された映像再生プレイヤの概略図であり、「Ｓｏｃｃｅｒ  Ｓｐｅｃｉａｌ」というストリーミング映像が、映像再生部３１０Ａによってモニタ５の表示画面５０に表示されている場合を表している。
【００３３】
映像再生プレイヤ３１１は、各種情報を表示する情報表示部３１２と、ストリーミング映像を表示する映像表示画面３１３と、ストリーミング映像を再生する再生ボタン３１４ａと、ストリーミング映像の再生を停止する停止ボタン３１４ｂと、音量を調整する音量ボタン３１４ｃと、ストリーミング映像の総再生時間と現在の再生時間等を視覚的に表すタイムライン３１４ｄと、現在の再生位置を示す再生ポインタ３１４ｅと、タイムライン３１４ｄと再生ポインタ３１４ｅとからなる再生コントロール部３１６と、ストリーミング映像の総再生時間（図中の６０：００）と現在の再生時間（図中の１０：００）とを表す時間表示部３１５とを有する。
【００３４】
図６（ｂ）は、本発明の第１の実施の形態に係る再生コントロール部の拡大図である。再生済み映像３１７ａは、すでに再生された映像区間を表し、配信済み映像３１７ｂは、１次記憶部３４に格納されているが、未再生の映像区間を表し、未配信映像３１７ｃは、ＰＣ４が、まだ受信していない映像区間を表している。
【００３５】
（映像配信システムの動作）
以下に本発明の第１の実施の形態の動作を図１から図１０を参照しつつ、図１１から図１４のフローチャートに従いながら、詳細に説明していく。
【００３６】
（視聴可能性が高い映像区間の解析）
図７（ａ）は、本発明の第１の実施の形態に係る視聴可能性が高い映像区間の表示に関する図であり、図７（ｂ）は、本発明の第１の実施の形態に係る再生コントロール部の拡大図である。視聴可能性が高い映像区間３１７ｄが１つある場合を表している。
【００３７】
ユーザは、ＰＣ４の電源を入れ、ストリーミング映像を視聴するため、入力部３１を操作する。
【００３８】
制御部３２は、入力部３１からの操作情報を受信し、記憶部３３に記憶されているソフトウェア３００から、映像再生部３１０Ａを起動する。
【００３９】
制御部３２は、映像再生部３１０Ａが起動すると、表示情報を表示部３５からモニタ５に送信し、表示画面５０に映像再生プレイヤ３１１を表示させる。なお、ストリーミング映像の再生は、映像再生プレイヤ３１１が行うとする。
【００４０】
制御部３２は、表示画面５０に映像再生プレイヤ３１１を表示させた後、通信部３０からインターネット３を介して映像配信サーバ２に接続する。
【００４１】
制御部３２は、映像配信サーバ２からストリーミング配信可能な番組の一覧を取得すると、映像再生プレイヤ３１１の映像表示画面３１３に表示させる（図示せず）（Ｓ１）。
【００４２】
ユーザは、映像表示画面３１３に表示された番組の一覧から「Ｓｏｃｃｅｒ  Ｓｐｅｃｉａｌ」という番組を入力部３１を操作し、選択する（Ｓ２）。
【００４３】
制御部３２は、入力部３１からの選択情報を通信部３０からインターネット３を介して、映像配信サーバ２に送信する。
【００４４】
映像配信サーバ２の制御部２１は、通信部２０から選択情報を受信し、選択情報に対応した蓄積部２２に蓄積された映像データ２０１を読出し、ストリーミング映像作成部２１０Ａに送信する。
【００４５】
ストリーミング映像作成部２１０Ａは、映像データ２０１をストリーミング映像に変換して、通信部２０からインターネット３を介して、ＰＣ４に送信する。
【００４６】
ＰＣ４の通信部３０は、ストリーミング映像を受信すると（Ｓ３）、制御部３２は、１次記憶部３４にストリーミング映像を格納し、映像再生プレイヤ３１１に再生させる（Ｓ４）。
【００４７】
ここで、制御部３２は、ストリーミング映像が過去に再生されたことがあると判断したとき（Ｓ５；Ｙｅｓ）、過去に作成したメタデータ３０２を記憶部３３から取得して、解析部３２０Ｂに視聴性が高い映像区間または、低い映像区間等の情報が、存在するか否かを解析させ（Ｓ８）、ステップ８に処理を進める。
【００４８】
また、制御部３２は、ストリーミング映像が過去に再生されたことが無いと判断したとき（Ｓ５；Ｎｏ）、１次記憶部３４に格納されたストリーミング映像を解析部３２０Ｂに視聴性が高い映像区間または、低い映像区間等が存在するか否かを解析させる（Ｓ６）。
【００４９】
なお、解析部３２０Ｂは、一例として、音声の急激な上昇や映像の変化等に基づいて、１次記憶部３４に格納されたストリーミング映像を解析したり、事前にユーザが登録したキーワード３０１に基づいて、ストリーミング映像を解析するようにしたりしても良いし、これを組み合わせても良いし、これに限定されない。
【００５０】
解析部３２０Ｂは、視聴可能性の高い映像区間３１７ｄ（再生位置ａ〜ｂ）を検出したとき（Ｓ８；Ｙｅｓ）、図７（ａ）に示す、映像再生プレイヤ３１１の情報表示部３１２に、「お好みの場面が見つかりました」というメッセージ３１２ｂと、視聴可能性の高い映像区間３１７ｄの再生位置ａまで再生をスキップさせるスキップボタン３１２ｃと、再生位置ａの時間情報であるスキップ時間情報３１２ｄとを表示する（Ｓ９）。
【００５１】
制御部３２は、スキップボタン３１２ｃが押されたとき（Ｓ１０；Ｙｅｓ）、スキップ時間情報３１２ｄの再生位置ａまで、再生をスキップして、映像再生プレイヤ３１１に再生させる（Ｓ１１）。
【００５２】
ここで、ステップ１０において、再生位置ａまでスキップボタン３１２ｃが押されなかったとき（Ｓ１０；Ｎｏ）、新たに１次記憶部３４に格納されたストリーミング映像を解析するため、ステップ６に処理を進める。
【００５３】
また、本実施の形態では、ユーザが、スキップボタン３１２ｃを押すことによって、視聴可能性の高い映像区間３１７ｄまで再生をスキップさせたが、自動で視聴可能性の高い映像区間３１７ｄまで再生をスキップさせるようにしても良いし、これに限定されない。
【００５４】
制御部３２は、解析部３２０Ｂによるすべてのストリーミング映像の解析が終了したとき（Ｓ１２；Ｙｅｓ）、メタデータ作成部３１０Ｃに、タイトル３１２ａと視聴可能性の高い映像区間３１７ｄ等を対応させたメタデータ３０２を作成させ、メタデータ３０２を記憶部３３に記憶させ（Ｓ１３）、再生を終了する（Ｓ１４）。
【００５５】
ここで、ステップ１２において、１次記憶部３４に格納されたストリーミング映像の解析が終了していないとき（Ｓ１２；Ｎｏ）、再びステップ６に処理を進める。
【００５６】
本実施の形態では、視聴可能性の高い映像区間３１７ｄを１つとして説明したが、複数ある場合でも同様である。
【００５７】
（視聴可能性が低い映像区間の解析）
図８（ａ）は、本発明の第１の実施の形態に係る視聴可能性が低い映像区間の表示に関する図であり、図８（ｂ）は、本発明の第１の実施の形態に係る再生コントロール部の拡大図である。視聴可能性が低い映像区間３１７ｅが１つある場合を表している。
【００５８】
ユーザは、ＰＣ４の電源を入れ、ストリーミング映像を視聴するため、入力部３１を操作する。
【００５９】
制御部３２は、入力部３１からの操作情報を受信し、記憶部３３に記憶されているソフトウェア３００から、映像再生部３１０Ａを起動する。
【００６０】
制御部３２は、映像再生部３１０Ａが起動すると、表示情報を表示部３５からモニタ５に送信し、表示画面５０に映像再生プレイヤ３１１を表示させる。
【００６１】
制御部３２は、表示画面５０に映像再生プレイヤ３１１を表示させた後、通信部３０からインターネット３を介して映像配信サーバ２に接続する。
【００６２】
制御部３２は、映像配信サーバ２からストリーミング配信可能な番組の一覧を取得すると、映像再生プレイヤ３１１の映像表示画面３１３に表示させる（図示せず）（Ｓ１１）。
【００６３】
ユーザは、映像表示画面３１３に表示された番組の一覧から「Ｓｏｃｃｅｒ  Ｓｐｅｃｉａｌ」という番組を入力部３１を操作し、選択する（Ｓ２２）。
【００６４】
制御部３２は、入力部３１からの選択情報を通信部３０からインターネット３を介して、映像配信サーバ２に送信する。
【００６５】
映像配信サーバ２の制御部２１は、通信部２０から選択情報を受信し、選択情報に対応した蓄積部２２に蓄積された映像データ２０１を読出し、ストリーミング映像作成部２１０Ａに送信する。
【００６６】
ストリーミング映像作成部２１０Ａは、映像データ２０１をストリーミング映像に変換して、通信部２０からインターネット３を介して、ＰＣ４に送信する。
【００６７】
ＰＣ４の通信部３０は、ストリーミング映像を受信すると（Ｓ２３）、制御部３２は、１次記憶部３４にストリーミング映像を格納し、映像再生プレイヤ３１１に再生させる（Ｓ２４）。
【００６８】
ここで、制御部３２は、ストリーミング映像が過去に再生されたことがあると判断したとき（Ｓ２５；Ｙｅｓ）、過去に作成したメタデータ３０２を記憶部３３から取得して、解析部３２０Ｂに視聴性が高い映像区間または、低い映像区間等の情報が、存在するか否かを解析させ（Ｓ２６）、ステップ２８に処理を進める。
【００６９】
また、制御部３２は、ストリーミング映像が過去に再生されたことが無いと判断したとき（Ｓ２５；Ｎｏ）、１次記憶部３４に格納されたストリーミング映像を解析部３２０Ｂに視聴性が高い映像区間または、低い映像区間等が存在するか否かを解析させる（Ｓ２６）。
【００７０】
解析部３２０Ｂは、視聴可能性の低い映像区間３１７ｅ（再生位置ｃ〜ｄ）を検出したとき（Ｓ２８；Ｙｅｓ）、図８（ａ）に示す、映像再生プレイヤ３１１の情報表示部３１２に、「スキップしますか？」というメッセージ３１２ｂと、視聴可能性の低い映像区間３１７ｅが終わる再生位置ｄまで再生をスキップさせるスキップボタン３１２ｃと、再生位置ｄの時間情報であるスキップ時間情報３１２ｄとを表示する（Ｓ２９）。
【００７１】
制御部３２は、スキップボタン３１２ｃが押されたとき（Ｓ３０；Ｙｅｓ）、スキップ時間情報３１２ｄの再生位置ｄまで、再生をスキップして、映像再生プレイヤ３１１に再生させる（Ｓ３１）。
【００７２】
ここで、ステップ３０において、再生位置ｄまでスキップボタン３１２ｃが押されなかったとき（Ｓ３０；Ｎｏ）、新たに１次記憶部３４に格納されたストリーミング映像を解析するため、ステップ２６に処理を進める。
【００７３】
また、本実施の形態では、ユーザが、スキップボタン３１２ｃを押すことによって、視聴可能性の低い映像区間３１７ｅの終わりまで再生をスキップさせたが、自動で視聴可能性の低い映像区間３１７ｅの終わりまで再生をスキップさせるようにしても良いし、これに限定されない。
【００７４】
制御部３２は、解析部３２０Ｂによるすべてのストリーミング映像の解析が終了したとき（Ｓ３２；Ｙｅｓ）、メタデータ作成部３１０Ｃに、タイトル３１２ａと視聴可能性の低い映像区間３１７ｅ等を対応させたメタデータ３０２を作成させ、メタデータ３０２を記憶部３３に記憶させ（Ｓ３３）、再生を終了する（Ｓ３４）。
【００７５】
ここで、ステップ３２において、１次記憶部３４に格納されたストリーミング映像の解析が終了していないとき（Ｓ３２；Ｎｏ）、再びステップ２６に処理を進める。
【００７６】
本実施の形態では、視聴可能性の低い映像区間３１７ｅを１つとして説明したが、複数ある場合でも同様である。
【００７７】
（優先的バッファ区間の取得）
図９（ａ）は、本発明の第１の実施の形態に係る優先的バッファ区間の取得に関する図であり、図９（ｂ）は、本発明の第１の実施の形態に係る再生コントロール部の拡大図である。一例として、過去にユーザが視聴したストリーミング映像に含まれる、視聴可能性が高い映像区間３１７ｄが、まだ配信されていない場合を表している。
【００７８】
ユーザは、ＰＣ４の電源を入れ、ストリーミング映像を視聴するため、入力部３１を操作する。
【００７９】
制御部３２は、入力部３１からの操作情報を受信し、記憶部３３に記憶されているソフトウェア３００から、映像再生部３１０Ａを起動する。
【００８０】
制御部３２は、映像再生部３１０Ａが起動すると、表示情報を表示部３５からモニタ５に送信し、表示画面５０に映像再生プレイヤ３１１を表示させる。
【００８１】
制御部３２は、表示画面５０に映像再生プレイヤ３１１を表示させた後、通信部３０からインターネット３を介して映像配信サーバ２に接続する。
【００８２】
制御部３２は、映像配信サーバ２からストリーミング配信可能な番組の一覧を取得すると、映像再生プレイヤ３１１の映像表示画面３１３に表示させる（図示せず）（Ｓ４１）。
【００８３】
ユーザは、映像表示画面３１３に表示された番組の一覧から「Ｓｏｃｃｅｒ  Ｓｐｅｃｉａｌ」という番組を入力部３１を操作し、選択する（Ｓ４２）。
【００８４】
制御部３２は、入力部３１からの選択情報を通信部３０からインターネット３を介して、映像配信サーバ２に送信する。
【００８５】
映像配信サーバ２の制御部２１は、通信部２０から選択情報を受信し、選択情報に対応した蓄積部２２に蓄積された映像データ２０１を読出し、ストリーミング映像作成部２１０Ａに送信する。
【００８６】
ストリーミング映像作成部２１０Ａは、映像データ２０１をストリーミング映像に変換して、通信部２０からインターネット３を介して、ＰＣ４に送信する。
【００８７】
ＰＣ４の通信部３０は、ストリーミング映像を受信すると（Ｓ４３）、制御部３２は、１次記憶部３４にストリーミング映像を格納し、映像再生プレイヤ３１１に再生させる（Ｓ４４）。
【００８８】
ストリーミング映像は、過去に視聴したものであるので、制御部３２は、記憶部３３に記憶された対応するメタデータ３０２を取得し、解析部３２０Ｂに視聴性が高い映像区間または、低い映像区間等の情報が、存在するか否かを解析させる（Ｓ４５）。
【００８９】
解析部３２０Ｂは、視聴可能性の高い映像区間３１７ｄとしての優先的バッファ区間３１７ｆ（再生位置ｅ〜ｆ）を検出したとき（Ｓ４６；Ｙｅｓ）、図９（ａ）に示す、映像再生プレイヤ３１１の情報表示部３１２に、「お好みの場面が見つかりました」というメッセージ３１２ｂと、視聴可能性の高い映像区間３１７ｄの再生位置ｅまで再生をスキップさせるスキップボタン３１２ｃと、再生位置ｅの時間情報であるスキップ時間情報３１２ｄとを表示する（Ｓ４７）。
【００９０】
なお、本実施の形態では、同じストリーミング映像を例としているので、視聴可能性の高い映像区間３１７ｄと優先的バッファ区間３１７ｆは、一致している。よって再生位置ａ〜ｂと再生位置ｅ〜ｆは、一致している。
【００９１】
制御部３２は、スキップボタン３１２ｃが押されたとき（Ｓ４８；Ｙｅｓ）、スキップ時間情報３１２ｄの再生位置ｅ〜ｆを優先的に映像配信サーバ２に配信させるためのバッファ情報を作成し（Ｓ４９）、通信部３０からインターネット３を介して、映像配信サーバ２に送信する。
【００９２】
映像配信サーバ２の制御部２１は、バッファ情報を通信部２０で受信すると、ストリーミング映像作成部２１０Ａに送信し、ストリーミング映像作成部２１０Ａは、バッファ情報に基づいて、優先的バッファ区間３１７ｆに対応したストリーミング映像を通信部２０からインターネット３を介して、ＰＣ４に配信する。
【００９３】
ＰＣ４の制御部３２は、通信部３０からインターネット３を介して受信した（Ｓ５０）、優先的バッファ区間３１７ｆに対応したストリーミング映像を映像再生プレイヤ３１１に再生させ（Ｓ５１）、再生が終了するまで（Ｓ５２）再生を続ける。
【００９４】
ここで、ステップ４６において、制御部３２は、視聴可能性が高い映像区間３１７ｄが存在しないと判断したとき（Ｓ４６；Ｎｏ）、映像再生プレイヤ３１１は、そのまま再生が終了するまで（Ｓ５２）再生を続ける。同様に制御部３２は、ステップ４８において、スキップボタン３１２ｃが押されなかったとき（Ｓ４８；Ｎｏ）も同様である。
【００９５】
（ストリーミング映像をシーンに分割）
図１０（ａ）は、本発明の第１の実施の形態に係るストリーミング映像の分割に関する図であり、図１０（ｂ）は、本発明の第１の実施の形態に係る再生コントロール部の拡大図である。一例として、過去にユーザが視聴したストリーミング映像を解析し、シーンＡ３１７ｇからシーンＦ３１７ｌまでのシーンに分割する場合を表している。
【００９６】
ユーザは、ＰＣ４の電源を入れ、ストリーミング映像を視聴するため、入力部３１を操作する。
【００９７】
制御部３２は、入力部３１からの操作情報を受信し、記憶部３３に記憶されているソフトウェア３００から、映像再生部３１０Ａを起動する。
【００９８】
制御部３２は、映像再生部３１０Ａが起動すると、表示情報を表示部３５からモニタ５に送信し、表示画面５０に映像再生プレイヤ３１１を表示させる。
【００９９】
制御部３２は、表示画面５０に映像再生プレイヤ３１１を表示させた後、通信部３０からインターネット３を介して映像配信サーバ２に接続する。
【０１００】
制御部３２は、映像配信サーバ２からストリーミング配信可能な番組の一覧を取得すると、映像再生プレイヤ３１１の映像表示画面３１３に表示させる（図示せず）（Ｓ６１）。
【０１０１】
ユーザは、表示画面５０に表示された番組の一覧から「Ｓｏｃｃｅｒ  Ｓｐｅｃｉａｌ」という番組を入力部３１を操作し、選択する（Ｓ６２）。
【０１０２】
制御部３２は、入力部３１からの選択情報を通信部３０からインターネット３を介して、映像配信サーバ２に送信する。
【０１０３】
映像配信サーバ２の制御部２１は、通信部２０から選択情報を受信し、選択情報に対応した蓄積部２２に蓄積された映像データ２０１を読出し、ストリーミング映像作成部２１０Ａに送信する。
【０１０４】
ストリーミング映像作成部２１０Ａは、映像データ２０１をストリーミング映像に変換して、通信部２０からインターネット３を介して、ＰＣ４に送信する。
【０１０５】
ＰＣ４の通信部３０は、ストリーミング映像を受信すると（Ｓ６３）、制御部３２は、１次記憶部３４にストリーミング映像を格納し、映像再生プレイヤ３１１に再生させる（Ｓ６４）。
【０１０６】
ストリーミング映像は、過去に視聴したものであるので、制御部３２は、記憶部３３に記憶された対応するメタデータ３０２を取得し、解析部３２０Ｂに解析させる。
【０１０７】
解析部３２０Ｂは、メタデータ３０２を解析し、シーンに分割する（Ｓ６５）。一例として、シーンは、上記した視聴可能性が高い映像区間３１７ｄや視聴可能性が低い映像区間３１７ｅや、試合と大きく画像の構成が変化するスタジオでのトークや、コマーシャル等が考えられるが、これに限定されない。
【０１０８】
また、解析部３２０Ｂは、ストリーミング映像に付随して配信される情報やメタデータ３０２等から、各シーンに対応したテキストデータを作成し、図１０（ａ）に示す、メニュ３１８として表示させる表示情報を作成し、制御部３２は、表示情報を映像再生プレイヤ３１１に表示させる（Ｓ６６）。
【０１０９】
なお、ユーザが入力部３１を操作し、ポインタ３１９でメニュ３１８内のシーンＥを選択したとき、メッセージ３１２ｂとして「シーンＥまでスキップ」と、シーンＥまで再生をスキップ可能なスキップボタン３１２ｃと、スキップされる再生時間位置を示すスキップ時間情報３１２ｄとが表示され、ユーザが、スキップボタン３１２ｃを選択することで、シーンＥにスキップして再生される。
【０１１０】
ユーザは、入力部３１を操作し、メニュ３１８のテキストを選択指示する（Ｓ６７；Ｙｅｓ）。ユーザが選択指示したシーンＥ３１７ｋが、１次記憶部３４に格納された配信済みのストリーミング映像ではなかったとき（Ｓ６８；Ｎｏ）、制御部３２は、スキップ時間情報３１２ｄの再生位置ｋ〜ｌを優先的に映像配信サーバ２に配信させるためのバッファ情報を作成し（Ｓ６９）、通信部３０からインターネット３を介して、映像配信サーバ２に送信する。なお、メニュ３１８は、シーンが選択されたとき、閉じられ、シーンが選択されないとき、所定の時間が経過した後、閉じられる。
【０１１１】
映像配信サーバ２の制御部２１は、バッファ情報を通信部２０で受信すると、ストリーミング映像作成部２１０Ａに送信し、ストリーミング映像作成部２１０Ａは、バッファ情報に基づいて、シーンＥ３１７ｋに対応したストリーミング映像を通信部２０からインターネット３を介して、ＰＣ４に配信する。
【０１１２】
ＰＣ４の制御部３２は、通信部３０からインターネット３を介して受信した（Ｓ７０）シーンＥ３１７ｋに対応したストリーミング映像を映像再生プレイヤ３１１に再生させる（Ｓ７１）。
【０１１３】
ここで、ステップ６８において、ユーザが選択指示したシーンが、１次記憶部３４に格納された配信済みのストリーミング映像であったとき（Ｓ６８；Ｙｅｓ）、制御部３２は、シーンの先頭の再生位置から映像再生プレイヤ３１１にスキップして再生させる（Ｓ７２）。
【０１１４】
ユーザが、メニュ３１８を選択しなかったとき（Ｓ７３；Ｎｏ）、制御部３２は、再生が終了するまで再生を続け、ストリーミング映像をすべて再生したとき、再生を終了する（Ｓ７４）。
【０１１５】
ここで、ステップ７４において、ユーザが、メニュ３１８のテキストを選択したとき（Ｓ７３；Ｙｅｓ）、ステップ６８に処理を進める。
【０１１６】
本実施の形態では、シーンの解析を自動で行ったが、ユーザの嗜好やキーワードを登録し、それらに基づいて、シーンを分割するようにしても良いし、これに限定されない。
【０１１７】
（第１の実施の形態の効果）
上記した実施の形態によると、ユーザが視聴したい場面を選択して再生することが可能で、更に、配信されたストリーミングデータの未再生の部分においても、ユーザが視聴したい場面を選択して再生することができる。また、ユーザが視聴したい場面が、ストリーミングデータの未配信の部分であっても、優先的に配信させることで視聴することができる。
【０１１８】
［第２の実施の形態］
（ＰＣのソフトウェアの構成）
図１５は、第２の実施の形態に係るＰＣの記憶部に記憶されたソフトウェアの概略図である。なお、以下の説明において、第１の実施の形態と同一の構成及び機能を有する部分については、共通の符号を付している。
【０１１９】
制御部３２によって実行されるソフトウェア３００Ａは、第１の実施の形態のソフトウェア３００に、検索部３３０Ｄを設けたものである。
【０１２０】
検索部３３０Ｄは、ユーザが入力部３１から入力した検索キーワードに基づいて、メタデータ３０２を検索し、その検索結果を映像表示画面３１３に表示する。
【０１２１】
（動作）
図１６（ａ）は、本発明の第２の実施の形態に係る検索結果を表示した表示画面の図であり、図１６（ｂ）は、本発明の第２の実施の形態に係るコントロール部の拡大図である。図１７のフローチャートに従って説明する。
【０１２２】
ユーザは、ストリーミング映像を視聴中（停止中でも良い）に入力部３１を操作して、検索キーワードを入力できる検索キーワード入力部３１８Ａを表示させ、検索キーワード入力部３１８Ａに検索キーワードを入力し、検索ボタンを押して検索を実行する（Ｓ８１）。
【０１２３】
ＰＣ４の制御部３２は、入力部３１からの検索キーワード情報を受信し、メタデータ３０２を検索キーワード情報に基づいて、検索し（Ｓ８２）、制御部３２は、検索した結果を図１６（ａ）に示すトークＡ３１７ｍからトークＣ３１７ｏを、検索結果メニュ３１８Ｂに表示する（Ｓ８３）。
【０１２４】
ユーザが、入力部３１を操作して、検索結果メニュ３１８Ｂからトークｂ３１７Ｂを選択したとき（Ｓ８４；Ｙｅｓ）、ユーザが選択指示したトークｂ３１７Ｂが、１次記憶部３４に格納された配信済みのストリーミング映像ではなかったとき（Ｓ８５；Ｎｏ）、制御部３２は、スキップ時間情報３１２ｄの再生位置ｐ〜ｑを優先的に映像配信サーバ２に配信させるためのバッファ情報を作成し（Ｓ８６）、通信部３０からインターネット３を介して、映像配信サーバ２に送信する。
【０１２５】
映像配信サーバ２の制御部２１は、バッファ情報を通信部２０で受信すると、ストリーミング映像作成部２１０Ａに送信し、ストリーミング映像作成部２１０Ａは、バッファ情報に基づいて、トークＢ３１７ｎに対応したストリーミング映像を通信部２０からインターネット３を介して、ＰＣ４に配信する。
【０１２６】
ＰＣ４の制御部３２は、通信部３０からインターネット３を介して受信した（Ｓ７０）トークＢ３１７ｎに対応したストリーミング映像を映像再生プレイヤ３１１に再生させ（Ｓ８８）、検索結果メニュ３１８Ｂを閉じて、検索動作を終了する（Ｓ８９）。
【０１２７】
ここで、ステップ８５において、ユーザが選択指示した検索結果に対応した映像区間が、１次記憶部３４に格納された配信済みのストリーミング映像であったとき（Ｓ８５；Ｙｅｓ）、制御部３２は、選択されたトークＢ３１７ｎの先頭の再生位置から映像再生プレイヤ３１１にスキップして再生させる（Ｓ９０）。
【０１２８】
また、ステップ８４において、ユーザが、検索結果メニュ３１８Ｂの検索結果を選択しなかったとき（Ｓ８４；Ｎｏ）、検索結果メニュ３１８Ｂを閉じて（Ｓ８９）、検索動作を終了する。
【０１２９】
（第２の実施の形態の効果）
上記した実施の形態によると、ユーザが、視聴したい場面をキーワードに基づいて検索し、視聴することができる。また、ユーザが検索した視聴したい場面が、ストリーミングデータの未配信の部分であっても、優先的に配信させることで視聴することができる。
【０１３０】
なお、本発明は、上記した実施の形態に限定されず、本発明の技術思想を逸脱あるいは変更しない範囲内で種々の変形が可能である
【図面の簡単な説明】
【０１３１】
【図１】本発明の第１の実施の形態に係る映像配信システムの概略図である。
【図２】本発明の第１の実施の形態に係る映像配信サーバのブロック図である。
【図３】本発明の第１の実施の形態に係るＰＣのブロック図である。
【図４】本発明の第１の実施の形態に係る映像配信サーバの蓄積部に記憶されたソフトウェアのブロック図である。
【図５】本発明の第１の実施の形態に係るＰＣの記憶部に記憶されたソフトウェアのブロック図である。
【図６】（ａ）は、本発明の第１の実施の形態に係る表示画面に表示された映像再生プレイヤの概略図、（ｂ）は、本発明の第１の実施の形態に係る再生コントロール部の拡大図である。
【図７】（ａ）は、本発明の第１の実施の形態に係る視聴可能性が高い映像区間の表示に関する図、（ｂ）は、本発明の第１の実施の形態に係る再生コントロール部の拡大図である。
【図８】（ａ）は、本発明の第１の実施の形態に係る視聴可能性が低い映像区間の表示に関する図、（ｂ）は、本発明の第１の実施の形態に係る再生コントロール部の拡大図である。
【図９】（ａ）は、本発明の第１の実施の形態に係る優先的バッファ区間の取得に関する図、（ｂ）は、本発明の第１の実施の形態に係る再生コントロール部の拡大図である。
【図１０】（ａ）は、本発明の第１の実施の形態に係るストリーミング映像の分割に関する図、（ｂ）は、本発明の第１の実施の形態に係る再生コントロール部の拡大図である。
【図１１】本発明の第１の実施の形態に係る視聴可能性が高い映像区間の解析に関するフローチャートである。
【図１２】本発明の第１の実施の形態に係る視聴可能性が低い映像区間の解析に関するフローチャートである。
【図１３】本発明の第１の実施の形態に係る優先的バッファ区間の取得に関するフローチャートである。
【図１４】本発明の第１の実施の形態に係るシーンの分割に関するフローチャートである。
【図１５】本発明の第２の実施の形態に係るＰＣの記憶部に記憶されたソフトウェアのブロック図である。
【図１６】（ａ）は、本発明の第２の実施の形態に係る検索結果を表示した表示画面の図、（ｂ）は、本発明の第２の実施の形態に係るコントロール部の拡大図である。
【図１７】本発明の第２の実施の形態に係るメタデータの検索に関するフローチャートである。
【符号の説明】
【０１３２】
１・・・映像配信システム、２・・・映像配信サーバ、３・・・インターネット、４・・・ＰＣ、５・・・モニタ、２０・・・通信部、２１・・・制御部、２２・・・蓄積部、３０・・・通信部、３１・・・入力部、３２・・・制御部、３３・・・記憶部、３４・・・１次記憶部、３５・・・表示部、５０・・・表示画面、２００・・・ソフトウェア、２０１・・・映像データ、２１０Ａ・・・ストリーミング映像作成部、２２０・・・オペレーティングシステム、２３０・・・通信ドライバ、２３１・・・メディアドライバ、３００・・・ソフトウェア、３００Ａ・・・ソフトウェア、３０１・・・キーワード、３０２・・・メタデータ、３１０Ａ・・・映像再生部、３１０Ｃ・・・メタデータ作成部、３１１・・・映像再生プレイヤ、３１２・・・情報表示部、３１２ａ・・・タイトル、３１２ｂ・・・メッセージ、３１２ｃ・・・スキップボタン、３１２ｄ・・・スキップ時間情報、３１３・・・映像表示画面、３１４ａ・・・再生ボタン、３１４ｂ・・・停止ボタン、３１４ｃ・・・音量ボタン、３１４ｄ・・・タイムライン、３１４ｅ・・・再生ポインタ、３１５・・・時間表示部、３１６・・・再生コントロール部、３１７ａ・・・再生済み映像、３１７ｂ・・・配信済み映像、３１７ｃ・・・未配信映像、３１７ｄ・・・視聴可能性が高い映像区間、３１７ｅ・・・視聴可能性が低い映像区間、３１７ｆ・・・優先的バッファ区間、３１７ｇ〜ｌ・・・シーンＡ〜Ｆ、３１７ｍ〜ｏ・・・トークＡ〜Ｃ、３１８・・・メニュ、３１８Ａ・・・検索キーワード入力部、３１８Ｂ・・・検索結果メニュ、３１９・・・ポインタ、３２０・・・オペレーティングシステム、３２０Ｂ・・・解析部、３３０・・・通信ドライバ、３３０Ｃ・・・メタデータ作成部、３３０Ｄ・・・検索部、３３１・・・入力ドライバ、３３２・・・メディアドライバ、３３３・・・表示ドライバ、２３００・・・ドライバ群、２４００・・・デバイス群、３１００・・・アプリケーション群、３３００・・・ドライバ群、３４００・・・デバイス群、ａ〜ｓ・・・再生位置
【図１】
2008135825.tif 000003
【図２】
2008135825.tif 000004
【図３】
2008135825.tif 000005
【図４】
2008135825.tif 000006
【図５】
2008135825.tif 000007
【図６】
2008135825.tif 000008
【図７】
2008135825.tif 000009
【図８】
2008135825.tif 000010
【図９】
2008135825.tif 000011
【図１０】
2008135825.tif 000012
【図１１】
2008135825.tif 000013
【図１２】
2008135825.tif 000014
【図１３】
2008135825.tif 000015
【図１４】
2008135825.tif 000016
【図１５】
2008135825.tif 000017
【図１６】
2008135825.tif 000018
【図１７】
2008135825.tif 000019